(57)【要約】      （修正有）【課題】レーザ式散弾銃弾着予測装置に関し、散弾銃の銃口部の向いている方向と、照準線との間のズレを知ることによって、実射時の弾着点を予測するとともに、最終的には射撃することなく、弾着の良否を判定し、弾代金と弾着確認工数を減らし、コストダウンを図る。【解決手段】照星２を有した銃口部３に設ける任意のチョーク４内の任意位置に調芯機構部５を介してチョーク４の軸線Ｉに略一致するように後半部１Ａが挿脱可能に挿入される軸体１と、軸体の一側に内蔵されて軸線Ｐに沿ってレーザ光Ｒが発射されるレーザ光発射手段６と、を備え、レーザ光発射手段６から発射されるレーザ光Ｒは、照星の照準点Ｍにて照準されて標的紙７上の座標８をめがけて発射され、実弾による実射結果を予測する。【選択図】図１
0003129572.tif 000002
【実用新案登録請求の範囲】
【請求項１】
照星を外周に有した銃口部に設ける任意のチョーク内の任意位置に調芯機構部を介してチョークの軸芯に略一致するように後半部が挿脱可能に挿入される軸体と、
該軸体の一側内部に内蔵されて前記軸体の軸線に沿ってレーザ光が発射されるレーザ光発射手段と、を備え、
前記レーザ光発射手段から発射されるレーザ光は、前記照星の照準点にて照準されて標的紙上の座標をめがけて発射されることにより実弾による実射結果を予測することを特徴とするレーザ式散弾銃弾着予測装置。
【請求項２】
照星を外周に有した銃口部に設ける任意のチョーク内の任意位置に調芯機構部を介してチョークの軸芯に略一致するように後半部が挿脱可能に挿入される軸体と、
該軸体の一側内部に内蔵されて前記軸体の軸線に沿ってレーザ光が発射されるレーザ光発射手段と、を備え、
前記調芯機構部が、前記軸体の外周のほぼ中央部に設けられたストッパ鍔部と、
該ストッパ鍔部と対向する鍔部を有して前記軸体の他側外周に摺動自在に外嵌されるとともに前記鍔部の後部の他端側が延設された筒部の外周には半径方向に出没可能に設けた複数個のボールを装着した第１外スリーブと、
前記ストッパ鍔部と前記鍔部との間に介装され、前記第１外スリーブの一端部に外嵌された主ばねと、
ほぼ筒状の前後両端部の外周が、端部に近接するほど小径になる第１斜面部と第２斜面部とが形成され、該第１斜面部には、前記ボールが外周に圧接可能に設けられるとともに、前記筒部内に第１副ばねを介して一端が摺動可能に介挿されたテーパスリーブと、
前記軸体の他端側に固着手段により取付けられ、半径方向に出没可能に装設された複数個のボールが、前記テーパスリーブの他端側に設けた第２の斜面部に圧接可能に設けられ、前記テーパスリーブの他端側が第２副ばねを介して介挿される第２外スリーブと、
により形成され、
前記レーザ光発射手段から発射されるレーザ光は、銃口部の外周上部に設けた照星の照準点にて照準されて標的紙上の座標をめがけて発射されることにより実弾による実射結果を予測すること、
を特徴とするレーザ式散弾銃弾着予測装置。
【請求項３】
散弾銃の銃口部が、単銃身銃であるか、または二連銃であることを特徴とする請求項１または２記載のレーザ式散弾銃弾着予測装置。
【請求項４】
チョークが、銃口部と一体に形成されるか、銃口部内に固定されるか、または、銃口部内に着脱可能に取付けられる交換形式の何れかであることを特徴とする請求項１、または２、３に記載のレーザ式散弾銃弾着予測装置。
【請求項５】
前記レーザ光発射手段が、レーザ光の発射、または停止が外部からスイッチ操作されることを特徴とする請求項１、または２、３、４の何れか１の請求項に記載のレーザ式散弾銃弾着予測装置。
【考案の詳細な説明】
【技術分野】
【０００１】
本考案はレーザ式散弾銃弾着予測装置に関し、散弾銃の銃口部の向いている方向と、照準線との間のズレを知ることによって、実射時の弾着点を予測するとともに、最終的には射撃することなく、弾着の良否を判定し、弾代金と弾着確認工数を減らし、コストダウンを図るものである。
【背景技術】
【０００２】
従来、散弾銃の弾着は、銃口部の向いている方向で決定されるが、この銃口部内にはテーパが内周面に形成されたチョークが設けられることにより散弾の散開度が制御されている。このチョークには、チョークが銃口部と一体に形成されるもの、銃口内に固定される固定形式のもの、または、銃口内に着脱可能に取付けられる交換形式のものがあった（例えば、特許文献１参照）。
【０００３】
このような銃口部にチョークが一体に形成されたチョークの散弾銃、固定形式のチョークを銃口内に取付けている散弾銃、または交換形式のチョークを銃口内に取付けている散弾銃では、弾着は銃口部の向いている方向で決定されるが、近年では交換形式のチョークを備えた散弾銃が増加している。
【特許文献１】実用新案登録第３０８８６８０号公報
【考案の開示】
【考案が解決しようとする課題】
【０００４】
ところで、上記特許文献１に記載のように銃口部にチョークが一体的に固定された固定形式のチョーク、または交換形式のチョークを銃口部内に取付けている散弾銃では、銃口部の向き、すなわち、チョークの向きは、チョークを取付ける銃身の銃口部内の機械加工精度、交換形式のチョークの寸法精度、銃身の曲がり等の諸要因がチョークの向きに影響し、決定されていた。
【０００５】
従って、チョークの向いている方向と照準線との関係が分かれば、仮に銃を発射した場合の弾着点を予め予測し、想定することが可能となる。
【０００６】
このように、弾着点を予め予測し、想定することが可能であれば、実際に射撃することなく、弾着の良否を判定し、弾代金と弾着確認工数を減らし、コストダウンが図れることになる。
【０００７】
本考案は上記従来の問題点を解決するとともに、銃口部内の機械加工精度、交換形式のチョークの寸法精度、銃身の曲がり等の諸要因に影響されて銃毎に異なるチョークの向きと、照準線との関係を容易かつ確実に知ることにより、予め弾着点を予測し、想定でき、もつて弾着の良否を判定し、弾代金と弾着確認工数を減らし、コストダウンを図ることを目的とする。
【課題を解決するための手段】
【０００８】
本考案は上記課題に鑑みてなされ請求項１に記載の考案は、
照星を外周に有した銃口部に設ける任意のチョーク内の任意位置に調芯機構部を介してチョークの軸芯に略一致するように後半部が挿脱可能に挿入される軸体と、
該軸体の一側内部に内蔵されて前記軸体の軸線に沿ってレーザ光が発射されるレーザ光発射手段と、を備え、
前記レーザ光発射手段から発射されるレーザ光は、前記照星の照準点にて照準されて標的紙上の座標をめがけて発射されることにより実弾による実射結果を予測することを特徴とする。
【０００９】
また、本考案の請求項２に記載の考案は、照星を外周に有した銃口部に設ける任意のチョーク内の任意位置に調芯機構部を介してチョークの軸芯に略一致するように後半部が挿脱可能に挿入される軸体と、
該軸体の一側内部に内蔵されて前記軸体の軸線に沿ってレーザ光が発射されるレーザ光発射手段と、を備え、
前記調芯機構部が、前記軸体の外周のほぼ中央部に設けられたストッパ鍔部と、
該ストッパ鍔部と対向する鍔部を有して前記軸体の他側外周に摺動自在に外嵌されるとともに前記鍔部の後部の他端側が延設された筒部の外周には半径方向に出没可能に設けた複数個のボールを装着した第１外スリーブと、
前記ストッパ鍔部と前記鍔部との間に介装され、前記第１外スリーブの一端部に外嵌された主ばねと、
ほぼ筒状の前後両端部の外周が、端部に近接するほど小径になる第１斜面部と第２斜面部とが形成され、該第１斜面部には、前記ボールが外周に圧接可能に設けられるとともに、前記筒部内に第１副ばねを介して一端が摺動可能に介挿されたテーパスリーブと、
前記軸体の他端側に固着手段により取付けられ、半径方向に出没可能に装設された複数個のボールが、前記テーパスリーブの他端側に設けた第２の斜面部に圧接可能に設けられ、前記テーパスリーブの他端側が第２副ばねを介して介挿される第２外スリーブと、
により形成され、
前記レーザ光発射手段から発射されるレーザ光は、銃口部の外周上部に設けた照星の照準点にて照準されて標的紙上の座標をめがけて発射されることにより実弾による実射結果を予測すること、
を特徴とする。
【００１０】
また、本考案の請求項３記載の考案は、請求項１または２において、散弾銃の銃口部が、単銃身銃であるか、または二連銃であることを特徴とする。
【００１１】
また、本考案の請求項４記載の考案は、請求項１、または２、３に記載のものにおいて、チョークが、銃口部と一体に形成されるか、銃口部内に固定されるか、または、銃口部内に着脱可能に取付けられる交換形式の何れかであることを特徴とする。
【００１２】
また、本考案の請求項５記載の考案は、請求項１、または２、３、４の何れか１の請求項において、前記レーザ光発射手段が、レーザ光の発射、または停止が外部からスイッチ操作されることを特徴とする。
【考案の効果】
【００１３】
本考案は上記課題に鑑みてなされ、請求項１に記載の考案によれば、照星を外周に有した銃口部に設ける任意のチョーク内の任意位置に調芯機構部を介してチョークの軸線に略一致するように後半部が挿脱可能に挿入される軸体と、該軸体の一側内部に内蔵されて前記軸体の軸線に沿ってレーザ光が発射されるレーザ光発射手段と、を備え、前記レーザ光発射手段から発射されるレーザ光は、前記照星の照準点にて照準されて標的紙上の座標をめがけて発射されることにより実弾による実射結果を予測することを特徴とするので、レーザ光発射手段を一側内部に設けられた軸体はその後半部を銃口部に設ける任意のチョーク内に挿入すると、軸体はその後半部が調芯機構部によりチョークの軸芯と、軸体の軸芯とが一致されるように調芯が行われ、チョーク内の任意の位置にセットされる。次いで、銃を所定距離、例えば４０ヤード先の標的紙めがけて照準した後に、軸体の前半部内に設けたレーザ光発射手段からレーザ光を標的紙めがけて発射する。こうして、レーザ光が発射されると、銃の照星の照準点に対して標的紙上での座標に照射されたレーザ光における上下方向Ｘ′または左右方向Ｙ′でのズレを読むことにより、銃弾の実射結果を予測する。このように、銃口内の機械加工精度、交換形式のチョークの寸法精度、銃身の曲がり等の諸要因に影響されて銃毎に異なるチョークの向きと、照準線との関係を容易かつ確実に知ることにより、予め弾着点を予測して想定できる。そして、もつて弾着の良否を判定し、弾代金と弾着確認工数を減らし、コストダウンを図ることができる。
【００１４】
また、本考案の請求項２に記載の考案によれば、照星を外周に有した銃口部に設ける任意のチョーク内の任意位置に調芯機構部を介してチョークの軸線に略一致するように後半部が挿脱可能に挿入される軸体と、該軸体の一側内部に内蔵されて前記軸体の軸線に沿ってレーザ光が発射されるレーザ光発射手段と、を備え、前記調芯機構部が、前記軸体の外周のほぼ中央部に設けられたストッパ鍔部と、該ストッパ鍔部と対向する鍔部を有して前記軸体の他側外周に摺動自在に外嵌されるとともに前記鍔部の後部の他端側が延設された筒部の外周には半径方向に出没可能に設けた複数個のボールを装着した第１外スリーブと、前記ストッパ鍔部と前記鍔部との間に介装され、前記第１外スリーブの一端部に外嵌された主ばねと、ほぼ筒状の前後両端部の外周が、端部に近接するほど小径になる第１斜面部と第２斜面部とが形成され、該第１斜面部には、前記ボールが外周に圧接可能に設けられるとともに、前記筒部内に第１副ばねを介して一端が摺動可能に介挿されたテーパスリーブと、前記軸体の他端側に固着手段により取付けられ、半径方向に出没可能に装設された複数個のボールが、前記テーパスリーブの他端側に設けた第２の斜面部に圧接可能に設けられ、前記テーパスリーブの他端側が第２副ばねを介して介挿される第２外スリーブと、により形成され、前記レーザ光発射手段から発射されるレーザ光は、銃口部の外周上部に設けた照星の照準点にて照準されて標的紙上の座標をめがけて発射されることにより実弾による実射結果を予測すること、を特徴とするので、ストッパ鍔部を鍔部に近接することによりストッパ鍔部と鍔部との間に介装している主ばねをそのばね力に抗して縮小させると、第１副ばねおよび第２副ばねが伸長し、第１外スリーブと第２外スリーブに装着されているボールはテーパスリーブの左右両端に端部に近接するほど小径になる第１斜面部と第２斜面部とによる圧接が解放され、頭が出ない状態になる。この状態のまま、レーザ光発射手段を一側内部に設けられた軸体はその後半部を銃口部に設ける任意のチョーク内に挿入すると、主ばねの弾性復元力により第１外スリーブが旧方向へ移動し、第１外スリーブに装着されているボールは第１斜面部に圧接されて頭部が突出されるのと、テーパスリーブが第１外スリーブのボールの押圧により軸方向に移動するとともに、第１副ばねと、第２副ばねとの弾性附勢力により第２外スリーブに装着されているボールはテーパスリーブの第２斜面部に圧接されて頭部が突出されることにより軸体はその後半部が、調芯機構部によりチョークの軸芯と、軸体の軸芯とが一致されるように調芯が行われ、チョーク内の任意の位置にセットされる。次いで、銃を所定距離、例えば４０ヤード先の標的紙めがけて照準した後に、軸体の前半部内に設けたレーザ光発射手段からレーザ光を標的紙めがけて発射する。
【００１５】
こうして、銃の照星の照準点に対する標的紙上での座標に照射されたレーザ光における上下方向または左右方向でのズレを読むことにより、銃弾の実射結果を予測する。このように、銃口部内の機械加工精度、交換形式のチョークの寸法精度、銃身の曲がり等の諸要因に影響されて銃毎に異なるチョークの向きと、照準線との関係を容易かつ確実に知ることにより、予め弾着点を予測し、想定できる。そして、弾着の良否を判定し、弾代金と弾着確認工数を減らし、コストダウンが図れる。
【００１６】
また、本考案の請求項３記載の考案によれば、散弾銃の銃口部が、単銃身銃であるか、または二連銃であることを特徴とするので、単銃身銃である場合、または二連銃である場合にも銃毎に異なるチョークの向きと、照準線との関係を簡単な取り扱い操作によって容易かつ確実に知ることにより、予め弾着点を予測し、想定することができる。こうして、弾着の良否を判定し、弾代金と弾着確認工数を減らし、コストダウンが図れ、多様に使用され、便利である。
【００１７】
また、本考案の請求項４記載の考案は、チョークが、銃口部と一体に形成されるか、銃口部内に固定されるか、または、銃口部内に着脱可能に取付けられる交換形式の何れかであることを特徴とするので、チョークが銃身に一体に形成されるか、固定形式のチョークである場合、または交換形式のチョークである場合にも、銃毎に異なるチョークの向きと、照準線との関係を簡単な取り扱い操作により容易かつ確実に知ることにより、予め弾着点を予測し、想定することができる。従って、弾着の良否を判定し、弾代金と弾着確認工数を減らし、コストダウンが図れ、多様に使用され、便利である。
【００１８】
また、本考案の請求項５記載の考案は、前記レーザ光発射手段が、レーザ光の発射、または停止が外部からスイッチ操作されることを特徴とするので、レーザの発射、または停止の操作を簡単かつ確実に行うことができる。
【考案を実施するための最良の形態】
【００１９】
以下、図面に従って本考案を実施するための最良の形態ににつき、詳細に説明する。
【００２０】
図１は本考案のレーザ式散弾銃弾着予測装置の実施形態であり、使用状態を示す拡大断面図、図２は同じく拡大縦断面図、図３は同じく図２のＡ−Ａ断面図、図４は同じく本実施形態において使用する標的紙の一例を示す正面図、図５は同じく本考案のレーザ式散弾銃弾着予測装置が使用される二連銃の一例を示す側面図、図６は同じく銃口部分の拡大断面図、図７は単銃身銃の銃口部分の拡大断面図である。
【００２１】
本実施形態は、図１において、照星２を外周に有した銃口部３に設ける任意のチョーク４内の任意位置に調芯機構部５を介してチョーク４の軸線Ｉに略一致するように後半部１Ａが挿脱可能に挿入される軸体１と、該軸体１の一側内部に内蔵されて前記軸体１の軸線Ｐに沿ってレーザ光Ｒが発射されるレーザ光発射手段６と、を備え、前記レーザ光発射手段６から発射されるレーザ光Ｒは、前記照星２の照準点Ｍにて照準されて標的紙７上の座標８をめがけて発射されることにより実弾による実射結果を予測することを特徴とする。
【００２２】
前記チョーク４は、チョーク４が銃口部３と一体に形成されるか、チョーク４が銃口部３内に固定される固定形式であるか、または、銃口部３内に着脱可能に取付けられる交換形式の何れかである。固定形式の前記チョーク４としては、例えばトラップ銃には、弾着点のバラツキを低く抑えることにより実弾の的中率を向上させるために、特にチョーク４の先端の締縮量が大きい、フルチューク、３／４チョーク、１／２チョ−クのものが使用される。チョーク４を銃口部３内に固定するための固定手段としては、ロー付け、アーク溶接、高周波溶接、スポット溶接等の溶接によったり、または、接着剤を用いて接着される等して行われ、固定手段は限定されるものではない。
【００２３】
また、交換形式のチョーク４の場合には、ユーザが絞縮量が異なる数種のチョ−ク４のうちから使用状況に合わせて適当な絞縮量のチョ−ク４を選択して交換使用を行う。この交換形式のチョーク４を銃口部３内に、交換可能に取付けるのには、例えば図６に示すようにチョ−ク４の前端に等間隔に設けた複数個の溝４ａ内に先端部を挿入したドライバー（図には示さない）の回動操作により、チョーク４の後半部外周に設けた雄ねじ部４ｂを銃口部３内に設けた雌ねじ部３ａにねじ込むことによりチョーク４を銃口部３内に交換可能に取付ける。
【００２４】
前記調芯機構部５が、本実施形態１では、前記軸体１の外周のほぼ中央部に設けられたストッパ鍔部９と、該ストッパ鍔部９と対向する鍔部１０とを有して前記軸体１の他側外周に摺動自在に外嵌されるとともに前記鍔部１０の後部の他端側が延設された筒部１１の外周には半径方向ｒに出没可能に設けた複数個のボール１２を装着した第１外スリーブ１３と、前記ストッパ鍔部９と前記鍔部１０との間に介装され、前記第１外スリーブ１３の一端部に外嵌された主ばね１４と、ほぼ筒状の前後両端部の外周が、端部に近接するほど小径になる第１斜面部１５と第２斜面部１６とが形成され、該第１斜面部１５には、前記ボール１２が外周に圧接可能に設けられるとともに、前記筒部１１内に第１副ばね１７を介して一端が摺動可能に介挿されたテーパスリーブ１８と、前記軸体１の他端側に固着手段１９により取付けられ、半径方向ｒに出没可能に装設された複数個のボール１２′が、前記テーパスリーブ１８の他端側に設けた第２斜面部１６に圧接可能に設けられ、前記テーパスリーブ１８の他端側が第２副ばね１７′を介して介挿される第２外スリーブ２０と、により形成される。
【００２５】
また、本実施形態１では、前記レーザ光発射手段６が、レーザ光Ｒの発射、または停止が外部からスイッチ手段ＳＷによりスイッチ操作される。このレーザ光発射手段６としては、例えば市販の半導体レーザ発光装置が使用される。そして、スイッチ手段ＳＷは、軸体１の外周下部に回動可能に取付けられたスイッチねじ２１を所定量回動操作することにより、レーザ光Ｒが発射される。また、スイッチ手段ＳＷは、旧位に所定量回動操作することにより、レーザ光Ｒの発射が停止される。２２は軸体１の内部に半導体レーザ発光装置を取付けるために、軸体１の前端に求心方向に螺入された複数個の取付調整ねじである。
【００２６】
また、前記ボール１２,１２′は、付勢ばねＳの付勢力により第１外スリーブ１３と、第２外スリーブ２０とに対して外側に付勢されている。
【００２７】
前記座標８は、例えば図４に示すように、上下縦方向の軸Ｘと、左右方向の軸Ｙとにより形成される。この実施形態１では前記座標８は、軸Ｘと、軸Ｙとにより１ｃｍ目盛りの方眼が形成されるが、この方眼の大きさは説明的であり、図示するものに制限されない。
【００２８】
また、前記散弾銃の銃口部３が、図示する本実施形態１では二連銃が図示されているが、これに限らず単身銃であってもよい。
【００２９】
本実施形態１のレーザ式散弾銃弾着予測装置は以上の構成からなり、銃弾の実射結果を予測するのには、まず、ストッパ鍔部９を鍔部１０に近接することによりストッパ鍔部９と鍔部１０との間に介装している主ばね１４をそのばね力に抗して縮小させると、第１副ばね１７および第２副ばね１７′が伸長し、第１外スリーブ１３と第２外スリーブ２０に装着されているボール１２,１２′はテーパスリーブ１８の左右両端に端部に近接するほど小径になる第１斜面部１５と第２斜面部と１６とによる圧接が解放され、頭が出ない状態になる。
【００３０】
この状態のまま、レーザ光発射手段６を一側内部に設けられた軸体１の後半部１Ａを銃口部３に設ける任意のチョーク４内に挿入すると、主ばね１４の弾性復元力によりストッパ鍔部９と、鍔部１０とは拡開して第１外スリーブ１３が旧方向へ移動するので、第１外スリーブ１３に装着されているボール１２は第１斜面部１５に圧接されて頭部が突出されるのと、テーパスリーブ１８が第１外スリーブ１３のボール１２の押圧により軸方向に移動するとともに、第１副ばね１７と、第２副ばね１７′との弾性附勢力により第２外スリーブ２０に装着されているボール１２′はテーパスリーブ１８の第２斜面部１６に圧接されて頭部が突出されることにより軸体１はその後半部１Ｂが、調芯機構部５によりチョーク４の軸芯と、軸体１の軸芯とが一致されるように調芯が行われ、チョーク４内の任意の位置にセットされる。従って、チョーク４の太さ、長さ、チョークの向きは、チョーク４を取付ける銃身の銃口部３内の機械加工精度、交換形式のチョーク４の寸法精度、銃身の曲がり等の諸要因が如何なるものであったとしても軸体１はその後半部１Ｂが、調芯機構部５によりチョーク４の軸芯と、軸体１の軸芯とが一致されるように迅速かつ確実に調芯が行われ、チョーク４内の任意の位置に容易にセットされる。
【００３１】
次いで、銃を所定距離、例えば４０ヤード先の標的紙７めがけて照準した後に、軸体１の前半部１Ａ内に設けたレーザ光発射手段６からスイッチ手段ＳＷを外部から操作することによりレーザ光Ｒを標的紙７めがけて発射する。なお、スイッチ手段ＳＷは銃を照準する直前に操作してレーザ光Ｒを発射しておいてもよい。
【００３２】
そして、銃の照星２の照準点Ｍと、標的紙７上での座標８に照射されたレーザ光Ｒにおける軸Ｘから左右方向のズレＸ′、また、軸Ｙから上下方向のズレＹ′を読むことにより、銃弾の実射結果を予測する（図４参照）。
【００３３】
この際、座標８における左右方向のズレＸ′は実射結果に色濃く反映されるので、容易に合否を判定することができる。また、座標８における上下方向のズレＹ′は、その銃特有の銃の跳ね上がり（定起角）に影響されるので、銃種、銃身長別に実射データと、レーザ光Ｒ／照準点Ｍの関係の統計的なデータからチャートを予め作成しておくことにより、そのチャートと上下方向のズレＹ′とを照らし合わせるようにすれば、合否判定を行うことができる。
【００３４】
このように、銃口部３,３内の機械加工精度、交換形式のチョーク４,４の寸法精度、銃身の曲がり等の諸要因に影響されて銃毎に異なるチョーク４の向きと、照準線との関係を容易かつ確実に知ることにより、予め弾着点を予測し、想定できるので、実射を行うことなく、弾着の良否を容易に判定することができる。従って、実射に伴う無駄な弾代金と弾着確認工数を減らすことができ、コストダウンが図れる。
【産業上の利用可能性】
【００３５】
本考案は、銃口内の機械加工精度、交換形式のチョークの寸法精度、銃身の曲がり等の諸要因に影響されて銃毎に異なるチョークの向きと、照準線との関係を容易かつ確実に知ることにより、予め弾着点を予測し、想定することができる。こうして、弾着の良否を判定し、弾代金と弾着確認工数を減らし、コストダウンを図るという用途・機能に適する。
【図面の簡単な説明】
【００３６】
【図１】図１は本考案のレーザ式散弾銃弾着予測装置の実施形態１であり、使用状態を示す拡大断面図である。
【図２】図２は同じく拡大縦断面図である。
【図３】図３は同じく図２のＡ−Ａ断面図である。
【図４】図４は同じく本実施形態１において使用する標的紙の一例を示す正面図である。
【図５】図５は同じく本考案のレーザ式散弾銃弾着予測装置が使用される二連銃の一例を示す側面図である。
【図６】図６は同じく銃口部分の拡大断面図である。
【図７】図７は単銃身銃の銃口部分の拡大断面図である。
【符号の説明】
【００３７】
１    軸体
１Ａ  前半部
１Ｂ  後半部
２    照星
３    銃口部
４    チョーク
５    調芯機構部
６    レーザ光発射手段
７    標的紙
８    座標
９    ストッパ鍔部
１０  鍔部
１１  筒部
１２  ボール
１２′ボール
１３  第１外スリーブ
１４  主ばね
１５  第１斜面部
１６  第２斜面部
１７  第１副ばね
１８  テーパスリーブ
１９  固着手段
２０  第２外スリーブ
Ｉ    軸線
Ｍ    照準点
Ｐ    軸線
Ｒ    レーザ光
【図１】
0003129572.tif 000003
【図２】
0003129572.tif 000004
【図３】
0003129572.tif 000005
【図４】
0003129572.tif 000006
【図５】
0003129572.tif 000007
【図６】
0003129572.tif 000008
【図７】
0003129572.tif 000009